(57)【要約】【課題】濡れた手に噴流を当てて乾燥させるのに使用される手乾燥装置において、吹き飛ばした水分が噴流を送出するノズルに浸入し、汚れの付着や雑菌の繁殖により不衛生になることを抑制することを目的とする。【解決手段】乾燥させる手を抜き差しされる乾燥室２と、濡れた手に対して空気を下方へ吹出して乾燥させる上ノズル３と、濡れた手に対して空気を上方へ吹出して乾燥させる下ノズル４と、空気を送出するファンモータ５と、送出される空気を暖めるヒータ７と、抜き差しされる手を検出する赤外線受発光素子８と、赤外線受発光素子８の出力を受けてファンモータ５とヒータ７を制御する制御部９とを備えた手乾燥装置１において、下ノズル４に水分侵入抑制手段を備えた構成により、ノズルに汚れが付着したり、風路に侵入した水から雑菌が繁殖したりして不衛生になることを抑制し、清潔な空気で手を乾燥することができる手乾燥装置を得られる。【選択図】図１
2011189048.tif 000002
【特許請求の範囲】
【請求項１】
乾燥させる手を抜き差しする乾燥室と、空気を下方へ吹出して濡れた手を乾燥させる上ノズル部と、空気を上方へ吹出して濡れた手を乾燥させる下ノズル部と、前記上ノズル部と下ノズル部に空気を送出する送風手段と、前記送風手段から送出された空気を前記上ノズル部と前記下ノズル部に導く風路部と、前記送風手段から送出される空気を暖める加熱手段と、前記乾燥室に抜き差しされる手を検出する手検出手段と、前記検出手段の出力を受けて前記送風手段と前記加熱手段を制御する制御部と、前記乾燥室に吹き飛ばした水分を排出するドレン部と、前記ドレン部を通った水分を一時的に貯留する貯留部とを備えた手乾燥装置において、前記制御部は、前記送風手段の風量やＯＮ／ＯＦＦを調節する送風駆動手段と、前記加熱手段の加熱量を調節する加熱駆動手段を有し、前記下ノズル部への水分侵入を抑制する水分侵入抑制手段を備えたことを特徴とする手乾燥装置。
【請求項２】
前記水分侵入抑制手段は、前記送風駆動手段により、前記手検出手段が手を検出しなくなった後も前記送風手段を一定時間運転させることである請求項１に記載の手乾燥装置。
【請求項３】
前記手検出手段が手を検出しなくなった後は、前記送風手段から送出された空気を前記下ノズル部のみに導くことを特徴とする請求項２に記載の手乾燥装置。
【請求項４】
前記送風駆動手段により、前記手検出手段が手を検出しなくなった後は、前記送風手段から送出される風量を手を乾燥させる場合と比べて少なくすることを特徴とする請求項２または３に記載の手乾燥装置。
【請求項５】
前記送風駆動手段を起動させる水分検出手段を備え、前記水分検出手段が水分を検出すると前記送風駆動手段により送風手段を起動させることを特徴とする請求項２から４いずれか１項に記載の手乾燥装置。
【請求項６】
前記水分侵入抑制手段は、前記下ノズル部を開閉する蓋であることを特徴とする請求項１に記載の手乾燥装置。
【請求項７】
前記送風駆動手段は、手を乾燥させるとき以外に温風を前記上ノズル部から吹出すことを特徴とする請求項６に記載の手乾燥装置。
【請求項８】
前記加熱駆動手段は、手を乾燥させるときより前記加熱手段による加熱温度を高くすることを特徴とする請求項７に記載の手乾燥装置。
【請求項９】
前記蓋は、前記下ノズル部との間にシール手段を備えたことを特徴とする請求項６または８いずれか１項に記載の手乾燥装置。
【請求項１０】
前記下ノズル部に撥水手段を備えたことを特徴とする請求項１から９いずれか１項に記載の手乾燥装置。
【請求項１１】
前記風路部に侵入した水を保持する吸水部材を備えたことを特徴とする請求項１から１０いずれか１項に記載の手乾燥装置。
【請求項１２】
前記吸水部材は、前記風路部に設けた前記吸水部材の高さと等しい凹部に備えたことを特徴とする請求項１１に記載の手乾燥装置。
【請求項１３】
前記吸水部材の表面に無数の突起を備えたことを特徴とする請求項１１から１２に記載の手乾燥装置。
【請求項１４】
前記吸水部材にカビ抑制手段を備えたことを特徴とする請求項１１から１３に記載の手乾燥装置。
【請求項１５】
前記風路部は、侵入した水分を前記貯留部へ除去する開口部と、前記開口部から前記貯留部へと水分を導く排水部を備えたことを特徴とする請求項１から１０いずれか１項に記載の手乾燥装置。
【請求項１６】
前記排水部は、前記開口部に勾配を備えたことを特徴とする請求項１５に記載の手乾燥装置。
【請求項１７】
前記排水部に、流入促進手段を備えたことを特徴とする請求項１５または１６いずれか１項に記載の手乾燥装置。
【発明の詳細な説明】
【技術分野】
【０００１】
本発明は、トイレ等に設置され、濡れた手に噴流を当てて乾燥させる手乾燥装置に関するものである。
【背景技術】
【０００２】
従来、この種の手乾燥装置は、装置内に濡れた手を挿入すると風速の速い風により手の水分を飛ばし乾燥させるものが知られている（例えば、特許文献１参照）。
【０００３】
以下、その手乾燥装置について図９を参照しながら説明する。
【０００４】
図９に示すように、手乾燥装置１０１は濡れた手を抜き差しする断面がＵ字状の乾燥室１０２と、濡れた手に下方に向けて空気を吹出す上ノズル部１０３と、濡れた手に上方に向けて空気を吹出す下ノズル部１０４と、上ノズル部と下ノズル部に空気を送出する送風手段１０５と、送風手段１０５により送出された空気を上ノズル部１０３と下ノズル部１０４に導く風路部１０６と、乾燥室に抜き差しされる手を検出する検出手段１０７と、検出手段１０７の出力を受けて送風手段１０５のＯＮ／ＯＦＦを制御する制御部１０８と、手から飛ばされた水分を乾燥室１０２から除去するためのドレン部１０９と、ドレン部１０９を通った水分が一時的に貯留される着脱可能な貯水部１１０とを備えた構成により、濡れた手を乾燥室１０２に差し入れると検出手段１０７の出力を受けた制御部１０８が送風手段１０５を起動させ、送出された空気が風路部１０６に導かれて上ノズル部１０３と下ノズル部１０４から吹出され、濡れた手の水分を吹き飛ばして乾燥させる。
【０００５】
手を乾燥室１０２から抜き出すと検出手段１０７の出力を受けた制御部１０８は送風手段１０５を停止させる。手から飛ばされた水分はドレン部１０９と通って貯水部１１０に一時的に貯留され、一定量が溜まったら貯水部１１０を取り外して水分を除去する。
【先行技術文献】
【特許文献】
【０００６】
【特許文献１】特開２００２−１５３３９９号公報（第９頁、第６図）
【発明の概要】
【発明が解決しようとする課題】
【０００７】
このような従来の手乾燥装置においては、濡れた手の乾燥時間を短縮し、省エネを可能とするため、手の両面に風を吹きかけて水分を飛ばす構成となっているが、乾燥室から手を抜き出すとノズル部からの空気の吹出しが停止するので、吹き飛ばされて乾燥室に残留していた水分が下ノズル部に侵入し、汚れの付着によるノズルの目詰まり、風路部における雑菌の繁殖などにより不衛生になるという課題を有していた。
【０００８】
そこで本発明は、上記従来の課題を解決するものであり、下ノズル部に水が侵入するのを抑制した手乾燥装置を提供することを目的とする。
【課題を解決するための手段】
【０００９】
そして、この目的を達成するために、本発明は、下ノズル部に水分侵入抑制手段を備えたものであり、これにより所期の目的を達成するものである。
【発明の効果】
【００１０】
本発明によれば、下ノズル部に水分侵入抑制手段を備えた構成にしたことにより、手を乾燥したとき、吹き飛ばされて乾燥室に残留する水分が下ノズル部に侵入することを抑制するので、ノズルに汚れが付着したり、風路部に雑菌が繁殖したりして不衛生になることを抑制し、清潔な風で手を乾燥できるという効果を得ることができる。
【図面の簡単な説明】
【００１１】
【図１】本発明の実施の形態１の手乾燥装置を示す側断面図
【図２】本発明の吸水シートの表面形状を示す斜視図
【図３】本発明の実施の形態１および２の制御部の詳細図
【図４】本発明の実施の形態１および２の制御部におけるフローチャート
【図５】本発明の実施の形態２の手乾燥装置を示す側断面図
【図６】本発明の実施の形態３の手乾燥装置を示す側断面図
【図７】本発明の実施の形態３および４の制御部の詳細図
【図８】本発明の実施の形態３および４の制御部におけるフローチャート
【図９】従来の手乾燥装置を示す側断面図
【発明を実施するための形態】
【００１２】
本発明の請求項１記載の手乾燥装置は、乾燥させる手を抜き差しする乾燥室と、空気を下方へ吹出して濡れた手を乾燥させる上ノズル部と、空気を上方へ吹出して濡れた手を乾燥させる下ノズル部と、前記上ノズル部と下ノズル部に空気を送出する送風手段と、前記送風手段から送出された空気を前記上ノズル部と前記下ノズル部に導く風路部と、前記送風手段から送出される空気を暖める加熱手段と、前記乾燥室に抜き差しされる手を検出する手検出手段と、前記検出手段の出力を受けて前記送風手段と前記加熱手段を制御する制御部と、前記乾燥室に吹き飛ばした水分を排出するドレン部と、前記ドレン部を通った水分を一時的に貯留する貯留部とを備えた手乾燥装置において、前記制御部は、前記送風手段の風量やＯＮ／ＯＦＦを調節する送風駆動手段と、前記加熱手段の加熱量を調節する加熱駆動手段を有し、前記下ノズル部への水分侵入を抑制する水分侵入抑制手段を備えた構成を有する。
【００１３】
これにより、前記下ノズル部への汚れの付着や、前記風路部に侵入した水分により雑菌が繁殖して不衛生になることを抑制することとなるので、清潔な空気で手を乾燥することができるという効果を奏する。
【００１４】
また、前記水分侵入抑制手段は、前記送風駆動手段により、前記手検出手段が手を検出しなくなった後も前記送風手段を一定時間運転させる構成にしてもよい。
【００１５】
これにより、手を乾燥するとき以外でも前記下ノズル部から風が出てくるので、噴流により吹き飛ばされ、前記乾燥室に付着した水分が前記下ノズル部に侵入することを容易に抑制できるという効果を奏する。
【００１６】
また、前記手検出手段が手を検出しなくなった後は、前記送風手段から送出された空気を前記下ノズル部のみに導く構成にしても良い。
【００１７】
これにより、前記上ノズル部の噴流による影響で水分が前記下ノズル部に侵入するのを防げるので、前記下ノズル部に水分が侵入するのをより効果的に抑制できるという効果を奏する。
【００１８】
また、前記送風駆動手段により、前記手検出手段が手を検出しなくなった後は、前記送風手段から送出される風量を手を乾燥させる場合と比べて少なくする構成にしても良い。
【００１９】
これにより、消費電力を抑えられるので、省エネを実現できるという効果を奏する。
【００２０】
また、前記送風駆動手段を起動させる水分検出手段を備え、前記水分検出手段が水分を検出すると前記送風駆動手段により送風手段を起動させる構成にしても良い。
【００２１】
これにより、前記下ノズル部に水分が侵入しようとするのを検出できるので、いつでも前記送風駆動手段を用いて水分が侵入するのを抑制できるという効果を奏する。
【００２２】
また、前記水分侵入抑制手段は、前記下ノズル部を開閉する蓋である構成にしても良い。
【００２３】
これにより、手を乾燥するときは噴流により前記蓋が開き、それ以外では蓋が閉まるので、前記下ノズル部に水が侵入するのを容易に抑制できるという効果を奏する。
【００２４】
また、前記送風駆動手段は、手を乾燥させるとき以外に温風を前記上ノズル部から吹出す構成にしても良い。
【００２５】
これにより、前記下ノズル部に前記蓋がされた状態で前記上ノズル部から風を当てて前記乾燥室に残る水分を気化させるので、容易に水分が浸入するのを抑制できるという効果を奏する。
【００２６】
また、前記加熱駆動手段は、手を乾燥させるときより加熱温度を高くする構成にしても良い。
【００２７】
これにより、前記乾燥室に残る水分をより早く気化させられるという効果を奏する。
【００２８】
また、前記蓋は、前記下ノズル部との間にシール手段を備えた構成にしても良い。
【００２９】
これにより、前記下ノズル部と前記蓋の間の隙間を塞げるので、容易に水分が浸入することを抑制できるという効果を奏する。
【００３０】
また、前記下ノズル部に撥水手段を備えた構成にしても良い。
【００３１】
これにより、前記下ノズル部に侵入しようとする水分をはじくことができるので、容易に水分が浸入することを抑制できるという効果を奏する。
【００３２】
また、前記風路部に侵入した水を保持する吸水部材を備えた構成にしても良い。
【００３３】
これにより、前記風路部に水分が侵入した場合でも前記吸水部材によって吸水され、手を乾燥するときの風で気化させるので、汚れの付着や雑菌の繁殖を抑制でき、清潔な風で手を乾燥できるという効果を奏する。
【００３４】
また、前記吸水部材は、前記風路部に設けた前記吸水部材の高さと等しい凹部に備えた構成にしても良い。
【００３５】
これにより、前記吸水部材が前記風路部を通る風を妨げないので、騒音や消費電力の増加を抑制できるという効果を奏する。
【００３６】
また、前記吸水部材の表面に無数の突起を備えた構成にしても良い。
【００３７】
これにより、前記吸水部材の表面積が増加するので、前記吸水部材に吸収された水分を効果的に気化できるという効果を奏する。
【００３８】
また、前記吸水部材にカビ抑制手段を備えた構成にしても良い。
【００３９】
これにより、前記吸水部材のカビの発生を抑えられるので、手を乾燥するときの風を清潔に保つことができるという効果を奏する。
【００４０】
また、前記風路部は、侵入した水分を前記貯留部へ除去する開口部と、前記開口部から前記貯留部へと水分を導く排水部を備えた構成にしても良い。
【００４１】
これにより、前記風路部へ侵入した水分を前記排水部に除去できるので、汚れの付着や雑菌の繁殖を抑制でき、清潔な風で手を乾燥できるという効果を奏する。
【００４２】
また、前記排水部は、前記開口部に勾配を備えた構成にしても良い。
【００４３】
これにより、表面張力の影響で水分が前記排水部に入りにくくなることを抑制できるので、水分を前記排水部に容易に導くことができるという効果を奏する。
【００４４】
また、前記排水部に、流入促進手段を備えた構成にしても良い。
【００４５】
これにより、水分を前記排水部のなかに導きやすくなる。
【００４６】
以下、本発明の実施の形態について図面を参照しながら説明する。
【００４７】
（実施の形態１）
図１および図２に示すように、手乾燥装置１は、乾燥させる手を抜き差しされる断面がＵ字形状の乾燥室２と、濡れた手に対して空気を下方へ吹出して乾燥させる上ノズル３と、濡れた手に対して空気を上方へ吹出して乾燥させる下ノズル４と、上ノズル３と下ノズル４に空気を送出する送風手段としてファンモータ５と、ファンモータ５から送出された空気を上ノズル３と下ノズル４に導く風路６と、ファンモータ５から送出される空気を暖める加熱手段としてヒータ７と、乾燥室２に抜き差しされる手を検出する検出手段として赤外線受発光素子８と、下ノズル４に侵入しようとする水分を検出する水分検出手段として検出光源に水分子に吸収されやすい特性を持つ波長の発光ダイオードを使用した水分検出センサ２６と、上ノズル３側の風路６を塞ぐためのダンパー１５と、赤外線受発光素子８と水分検出センサ２６の出力を受けてファンモータ５とヒータ７とダンパー１５を制御する制御部９と、乾燥室２に吹き飛ばした水分を排出するドレン１０と、ドレン１０を通った水分を一時的に貯留する水受けカップ１１と、風路６に侵入した水分を保持する吸水部材として吸水シート１２とを備えた構成となっている。
【００４８】
また、吸水シート１２は風路６の壁面に設けた凹部１６に高さが等しくなるように収められ（ここでは例として、下ノズル４近傍の風路６の幅が２０ｍｍ程度と仮定したとき、吸水シートの寸法を２０×２０×２ｍｍとする）、表面には図２に示すように無数の円筒形状をした突起１７（ここでは例として、直径１ｍｍ、高さ２ｍｍの円筒とする）と、吸水シートでの雑菌の繁殖を抑えるため抗菌剤（図示せず）を塗布した構成となっている。
【００４９】
また、水分検出センサ２６は、下ノズル４が複数個ある場合には、それぞれのノズルに対して１つの水分検出センサ２６を備えるように設置するのが好ましい。
【００５０】
また、図３に示すように、制御部９はファンモータ５を駆動するための送風駆動手段１３と、ヒータ７を駆動するための加熱駆動手段１４と、ダンパー１５を駆動するためのダンパー駆動手段２５から構成されている。
【００５１】
また、図４では、制御部９の動作フローチャートを示しており、濡れた手を乾燥室２にいれると赤外線受発光素子８が手を検出し、送風駆動手段１３からファンモータ５と、加熱駆動手段１４からヒータ７を運転させ、手の乾燥が終わり、乾燥室２から手を抜き出して手が検出されなくなると、ファンモータ５を低出力で運転し、ダンパー１５を駆動させて上ノズル３側の風路６を閉じて、設定時間（例えば、１０秒）が経過した後、ファンモータ５の運転を停止させる。
【００５２】
さらに、赤外線受発光素子８が手を検出しない状態で、水分検出センサ２６により水分を検出した場合も、ファンモータ５を低出力で運転し、ダンパー１５を駆動させて上ノズル３側の風路６を閉じて、設定時間に送風時間が達すると運転が停止するようになる。
【００５３】
このような構成によれば、手を乾燥させたあと、乾燥室２に吹き飛ばされた水分が壁面を伝って下ノズル４に侵入しようとしても、下ノズル４からは設定した送風時間に達するまで噴流が出ており、上ノズル３はダンパー１５のため噴流が出てこないので、上ノズル３の風圧の影響で吹き飛ばされた水分が下ノズル４に侵入する可能性をより効果的に抑制できる。
【００５４】
また、手を乾燥したあと、ある程度の時間が経過してから下ノズル４に流れて侵入する水分も、水分検出センサ２６の上を通過する際に水分検出センサ２６の光源から出た光の波長が水分により吸収されるので、その光が吸収された信号からファンモータを低出力で運転させ、またダンパーを駆動させることで、下ノズル４からは設定した送風時間に達するまで噴流が出ており、上ノズル３はダンパー１５のため噴流が出てこないので、上ノズル３の風圧の影響で吹き飛ばされた水分が下ノズル４に侵入する可能性をより効果的に抑制できる。
【００５５】
また、侵入を抑制し切れなかった水分についても吸水シート１２により水分を吸収し、突起１７により表面積を増加させた状態から温風により気化させて風路６から除去することができ、抗菌剤により雑菌の繁殖も抑えているので、下ノズル４とそれにつながる風路６の汚れの付着や吹き飛ばした水分による雑菌の繁殖を抑え、いつでも清潔な空気で手を乾燥することができる。
【００５６】
なお、実施の形態において、水分が下ノズル４に侵入するのを抑制するとき上ノズル３から噴流が出ないようにダンパー１５を設けたが、最低限、下ノズル４から噴流が出ているので水分が侵入する可能性は低いので、ダンパー１５を設けない構成にしてもよく、ダンパー１５を設けたことによる風路６の構造の複雑化やコストアップを低減できる。
【００５７】
なお、実施の形態において、吸水シート１２に吸収された水分の気化を促進するため表面積を増加させるのに円筒形状の突起１７を設けたが、突起の形状を立方体や直方体として設けても良く、その作用効果に差異を生じない。
【００５８】
（実施の形態２）
図５において、図１から図４と同様の構成要素については同一の符号を付し、その詳細な説明は省略する。
【００５９】
風路６には吸水シート１２に代えて、風路６から水分を除去する開口１８と、開口１８からドレン１０に水分を導く排水路１９を設け、開口１８にはテーパ２０と、排水路１９の壁面には親水性処理として、例えばここではテフロン（登録商標）樹脂系の親水性コーティング（図示せず）を備えた構成となっている。
【００６０】
上記構成において、排水路１９は開口のテーパ２０により、水分が表面張力で入りにくくなるのを抑制し、親水性コーティングによりドレン１０へ水分を導きやすくなっているので水受けカップ１１に容易に水分を除去可能であり、下ノズル４とそれにつながる風路６の汚れの付着や吹き飛ばした水分による雑菌の繁殖を抑え、いつでも清潔な空気で手を乾燥することができる。
【００６１】
（実施の形態３）
図６において、図１から図５と同様の構成要素については同一の符号を付し、その詳細な説明は省略する。
【００６２】
図６において、下ノズル４の開口に対して乾燥室２の開口側に回転軸を設けた蓋２２と、蓋２２の下ノズル４と接触する面にシール材としてゴムパッキン（図示せず）と、風路６で下ノズル４へ空気を送出する部分にダンパー２３を設けた構成となっている。
【００６３】
また、図７に示すように、制御部９はファンモータを駆動するための送風駆動手段１３と、ヒータを駆動するための加熱駆動手段１４と、ダンパー２３を駆動するためのダンパー駆動手段２５から構成されている。
【００６４】
また、図８において制御部９の詳細なフローチャートを示す。
【００６５】
まず、濡れた手を乾燥させるとき赤外線受発光素子８が手を検出し、ファンモータ５とヒータ７を運転して温風を出して手を乾燥させる。次に手を乾燥した後、赤外線受発光素子８が手を検出しない状態になると、制御部９は下ノズル４に通じた風路６を塞ぐダンパー２３を駆動し、ファンモータの出力を絞り、ヒータの出力を上げ、設定時間（例えば、１０秒）が経過した後、ファンモータ５の運転を停止させる構成になっている。
【００６６】
上記構成において、手を乾燥するときは下ノズル４から出てくる噴流の圧力に押されて蓋２２が開いて上ノズル３と併せて手を乾燥し、手を乾燥したあと、ダンパー２３が起動して下ノズル４の開口に蓋がされることで水分の侵入を抑制する。また、上ノズル３から手を乾燥するときより高い温度の温風が送出されることで、乾燥室２に残留する水分をより早く気化して除去することができる。
【００６７】
（実施の形態４）
本実施の形態においては、実施の形態３の下ノズル４への侵入を抑制しきれなかった水分に対して、その除去する手段として用いた吸水シート１２に代わり、実施の形態２の図５に図示したように、風路６には排水路１９をドレン１０に接続し、その開口にテーパ２０を設け、排水路１９の壁面には親水性処理として、例えばここではテフロン（登録商標）樹脂系の親水性コーティングを備えた構成となっている。
【産業上の利用可能性】
【００６８】
本発明にかかる手乾燥装置は、手を乾燥することで吹き飛ばされた水分がノズルに侵入しようとするのを抑制することを可能とするものであるので、トイレ等に設置され、濡れた手に噴流を当てて乾燥させるのに使用されるハンドドライヤー等として有用である。
【符号の説明】
【００６９】
１    手乾燥装置
２    乾燥室
３    上ノズル
４    下ノズル
５    ファンモータ
６    風路
７    ヒータ
８    赤外線受発光素子
９    制御部
１０  ドレン
１１  水受けカップ
１２  吸水シート
１３  送風駆動手段
１４  加熱駆動手段
１５  ダンパー
１６  凹部
１７  突起
１８  開口
１９  排水路
２０  テーパ
２２  蓋
２３  ダンパー
２５  ダンパー駆動手段
２６  水分検出センサ
【図１】
2011189048.tif 000003
【図２】
2011189048.tif 000004
【図３】
2011189048.tif 000005
【図４】
2011189048.tif 000006
【図５】
2011189048.tif 000007
【図６】
2011189048.tif 000008
【図７】
2011189048.tif 000009
【図８】
2011189048.tif 000010
【図９】
2011189048.tif 000011